(57)【要約】【課題】外気導入用として設置される、空気清浄化手段を備えた二重枠構造の吹出口における結露発生を防止する。【解決手段】吹出口１０は、室外から導入する外気を室内へ吹き出すため建物の天井部２０に配置されたものであり、室内Ｒに臨む領域に設けられる四角形状の外枠体１１と、外枠体１１内に沿って装着された開閉可能な四角形状の内枠体１２と、空気清浄化手段として内枠体１２に着脱可能に組み込まれたフィルタ１６と、を備えている。また、外枠体１１及び内枠体１２の結露防止手段として、外枠体１１及び内枠体１２を構成するケーシング１１ｋ，１２ｋの開口周縁部１１ａ，１２ａにそれぞれ断熱材１１ｃ，１２ｃを付設するとともに、断熱材１１ｃ，１２ｃの表面を断面Ｌ字状の結露防止カバー１１ｆ，１２ｆで覆っている。【選択図】図３
2010117055.tif 000002
【特許請求の範囲】
【請求項１】
室外から導入する外気を室内へ吹き出すために天井部や壁部に配置され、室内に臨む領域に設けられる外枠体と、前記外枠体内に沿って着脱可能または開閉可能に装着された内枠体と、前記内枠体に着脱可能に組み込まれた空気清浄化手段と、を備えた吹出口において、
前記外枠体及び前記内枠体の結露を防止する結露防止手段を設けたことを特徴とする吹出口。
【請求項２】
前記結露防止手段として、前記外枠体及び前記内枠体における室内に面する部分の少なくとも一部に結露防止部材を付設した請求項１記載の吹出口。
【請求項３】
断熱材を介在させて前記外枠体及び前記内枠体に前記結露防止部材を付設した請求項２記載の吹出口。
【請求項４】
前記結露防止手段として、前記外枠体及び前記内枠体に室内空気が接触するのを回避する気流誘導手段を設けた請求項１記載の吹出口。
【請求項５】
前記結露防止手段として、前記外枠体及び前記内枠体を難結露性材料で形成した請求項１記載の吹出口。
【請求項６】
前記結露防止手段として、前記外枠体及び前記内枠体に加熱手段を設けた請求項１記載の吹出口。
【請求項７】
前記内枠体を蝶番または係脱可能な係合機構を介して前記外枠体に装着した請求項１〜６のいずれかに記載の吹出口。
【発明の詳細な説明】
【技術分野】
【０００１】
本発明は、室外から導入する外気を室内へ吹き出すため天井部や壁部に配置される吹出口であって、特に、外枠体と内枠体とからなる二重枠構造を備えた吹出口に関する。
【背景技術】
【０００２】
外気を室内へ導入するために天井部や壁部に配置される吹出口には外気浄化用のフィルタを備えたものがあり、このような吹出口においては、フィルタのメンテナンスを行うために二重枠構造が採用されることが多い。このような二重枠構造の吹出口を、室内が比較的高温多湿となる厨房、給食センター、食品加工工場などに設置した場合、室外から取り入れた外気を、フィルタを介してそのまま室内に供給することがあるが、この外気によって冷やされた二重枠構造部分に高温多湿の室内空気が接触して結露することがある。即ち、前記吹出口は天井面や壁面の比較的上部に取り付けられているので、室内の上部に滞留している高温多湿の空気が、吹出口から吹き出す冷たい外気で冷やされた二重枠構造部分に接触し、結露が発生し易い状況にある。結露が発生すると、室内に水滴が落下したり、結露部分にカビが発生したりすることがあるため、食品関連の建物においては、衛生上、好ましくない。
【０００３】
一方、結露防止手段を備えた吹出口として、吹出口本体の外枠先端表面に、空気層を介在させた状態で結露防止カバーが装着されたもの（例えば、特許文献１参照。）、吹出開口部の周囲を取り巻く額縁部に、閉塞された隙間を介在させた状態で、断熱性材で形成された中空部を有する枠体カバーが配設されたもの（例えば、特許文献２参照。）がある。また、空気吹出口の周縁部を覆う断熱材の表面に、断熱材を介在させた状態で枠体を設置するとともに、枠体の内周部を空気吹出口の開口端より外側に引き込んだ構造としたもの（例えば、特許文献３参照。）もある。
【０００４】
【特許文献１】登録実用新案第３００３１４５号公報
【特許文献２】登録実用新案第３０３９３６０号公報
【特許文献３】特開平１１−６３６４０号公報
【発明の開示】
【発明が解決しようとする課題】
【０００５】
特許文献１〜３記載の吹出口の場合、吹出口本体の周縁部の枠体における結露発生を抑制することができるが、これらの吹出口は空調機から供給される清浄な調和空気を室内へ吹き出すものであるため、空気清浄化手段が設けられていない。
【０００６】
一方、室外から導入する外気を室内へ吹き出すために設置される外気導入用の吹出口の場合、外気中に含まれる塵埃や異物などを除去するために空気清浄化手段（フィルタ）を備えているが、結露防止手段が設けられていない。このため、従来の外気導入用の吹出口においては、室外の気温が低くかったり、室内の湿度が高かったりすると、結露発生を回避できないことがあるのが実状である。
【０００７】
本発明が解決しようとする課題は、外気導入用として設置される、空気清浄化手段を備えた二重枠構造の吹出口における結露発生を防止することにある。
【課題を解決するための手段】
【０００８】
本発明の吹出口は、室外から導入する外気を室内へ吹き出すため天井部や壁部に配置され、室内に臨む領域に設けられる外枠体と、前記外枠体内に沿って着脱可能または開閉可能に装着された内枠体と、前記内枠に着脱可能に組み込まれた空気清浄化手段と、を備えた吹出口において、
前記外枠体及び前記内枠体の結露を防止する結露防止手段を設けたことを特徴とする。
【０００９】
このような構成とすれば、室外から導入される冷たい外気の冷却作用によって冷やされた外枠体や内枠体に、室内の高温多湿の空気が接触しても、これらの部材の表面などに結露が発生するのを防止することができる。
【００１０】
ここで、前記結露防止手段として、前記外枠体及び前記内枠体における室内に面する部分の少なくとも一部に結露防止部材を付設することができる。このような構成とすれば、高温多湿状態にある室内の空気が、直接、外枠体や内枠体に触れるのを回避することができるため、結露防止に有効である。
【００１１】
この場合、断熱材を介在させて前記外枠体及び前記内枠体に前記結露防止部材を付設することが望ましい。このような構成とすれば、室外から導入される外気との接触によって冷却された外枠体及び内枠体と結露防止部材との接触を無くすことができるため、結露防止部材自体の温度低下が抑制され、結露防止効果が高まる。
【００１２】
一方、前記結露防止手段として、前記外枠体及び前記内枠体に室内空気が接触するのを回避する気流誘導手段を設けることもできる。このような構成とすれば、外枠体及び内枠体の材質を変えたり、他の素材を付設したりすることなく、結露防止作用を得ることができるため、構造の複雑化、構成部材の増大を回避することができる。
【００１３】
また、前記結露防止手段として、前記外枠体及び前記内枠体を難結露性材料で形成することもできる。このような構成とすれば、外枠体及び内枠体に結露防止形状を設ける必要が無くなるので、外観性を悪化することなく、結露防止作用を得ることができる。なお、難結露性材料としては、例えば、熱伝導率の小さい合成樹脂や発泡材などが好適である。
【００１４】
そのほか、前記結露防止手段として、前記外枠体及び前記内枠体に加熱手段を設けることもできる。このような構成とすれば、加熱手段で外枠体および内枠体を露点以上の温度に保持することができるため、確実な結露防止効果を得ることができる。
【００１５】
さらに、前記内枠体を蝶番または係脱可能な係合機構を介して前記外枠体に装着することもできる。このような構成とすれば、外枠体に対する内枠体の着脱操作または開閉操作が容易となるため、内枠体に組み込まれた空気清浄化手段のメンテナンス性や清掃作業性が向上する。
【発明の効果】
【００１６】
本発明により、外気導入用として設置される、空気清浄化手段を備えた二重枠構造の吹出口における結露発生を防止することができる。
【発明を実施するための最良の形態】
【００１７】
以下、図面に基づいて本発明の実施の形態について説明する。図１は本発明の実施の形態である吹出口を示す正面図、図２は図１におけるＡ−Ａ線断面図、図３は図１におけるＢ−Ｂ線断面図、図４は図３における矢線Ｃで示す領域の拡大図である。
【００１８】
図１〜図３に示すように、本実施形態の吹出口１０は、室外から導入する外気を室内へ吹き出すため建物の天井部２０に配置されたものであり、室内Ｒに臨む領域に設けられる四角形状の外枠体１１と、外枠体１１内に沿って装着された開閉可能な四角形状の内枠体１２と、空気清浄化手段として内枠体１２に着脱可能に組み込まれたフィルタ１６と、を備えている。また、外枠体１１及び内枠体１２の結露防止手段として、外枠体１１及び内枠体１２を構成するケーシング１１ｋ，１２ｋの開口周縁部１１ａ，１２ａの表面部分にそれぞれ断熱材１１ｃ，１２ｃを付設するとともに、断熱材１１ｃ，１２ｃの表面を断面Ｌ字状の結露防止カバー１１ｆ，１２ｆで覆っている。
【００１９】
図４に示すように、結露防止カバー１１ｆ，１２ｆの内周端面１１ｅ，１２ｅはそれぞれ断熱材１１ｃ，１２ｃの内周端面１１ｄ，１２ｄより外側に変位して配置されている。外枠体１１の内周（断熱材１１ｃの内周端面１１ｄ）と内枠体１２の外周（結露防止カバー１２ｆの外周面１２ｇ）との間には隙間Ｓが設けられている。
【００２０】
図２，３に示すように、天井部２０の上方に配管されたダクト２１の下端開口部の内周面側に、吹出口１０の本体ケーシング１０ｋが挿入され、本体ケーシング１０ｋの周壁からダクト２１に向かって複数のタップスクリュー２２を螺着することによって固定されている。本体ケーシング１０ｋの下端部に配置され外枠体１１のケーシング１１ｋは複数の取付ビス２３によって本体ケーシング１０ｋに固定されている。本体ケーシング１１ｋの上端部には支軸１５ａを中心に回動する複数の開閉シャッタ１５が設けられている。
【００２１】
外枠体１１内に沿って装着された内枠体１２は、図２に示す複数の蝶番２４を中心に開閉可能であり、内枠体１２のケーシング１２ｋが外枠体１１のケーシング１１ｋ内に収容された状態で配置されている。内枠体１２のケーシング１２ｋの上端部に設けられたフィルタ収納部１２ｈ内にフィルタ１６が水平状態で組み込まれている。フィルタ収納部１２ｈ下方のケーシング１２ｋ中央には羽根補強部材１７が水平方向に配置され、羽根補強部材１７の両側には、羽根補強部材１７と直交する方向の支軸１４ａを中心に回動可能な複数の上方羽根１４が配置されている。また、上方羽根１４の下方には、支軸１３ａを中心に回動可能な複数の下方羽根１３が上方羽根１４と直角に立体交差する状態で配置されている。室外からダクト２１を経由して吹出口１０内へ導入された外気はフィルタ１６を通過して内枠体１２の下端開口部から室内Ｒへ吹き出される。
【００２２】
前述した図４に示すように、吹出口１０においては、外枠体１１及び内枠体１２を構成するケーシング１１ｋ，１２ｋの開口周縁部１１ａ，１２ａにそれぞれ断熱材１１ｃ，１２ｃを付設するとともに、断熱材１１ｃ，１２ｃの表面を断面Ｌ字状のカバー１１ｆ，１２ｆで覆っている。従って、室外から導入される冷たい外気の冷却作用により露点以下の温度に冷やされた外枠体１１や内枠体１２に、室内Ｒの高温多湿の空気が直接触れることがなくなり、結露の発生を防止することができる。
【００２３】
また、結露防止カバー１１ｆ，１２ｆの内周端面１１ｅ，１２ｅはそれぞれ断熱材１１ｃ，１２ｃの内周端面１１ｄ，１２ｄより外側に変位して配置されているため、吹出口開口端１２ｐ付近から吹き出す冷たい外気が結露防止カバー１１ｆ，１２ｆに直接触れることがない。このため、結露防止カバー１１ｆ，１２ｆの温度低下を防ぐことができ、結露防止に有効である。
【００２４】
さらに、ケーシング１１ｋ，１２ｋの開口周縁部１１ａ，１２ａと結露防止カバー１１ｆ，１２ｆとの間にそれぞれ断熱材１１ｃ，１２ｃを介在させているため、外気との接触で冷やされた外枠体１１や内枠体１２によって結露防止カバー１１ｆ，１２ｆが露点以下の温度に下がることがなく、結露防止効果を高めることができる。
【００２５】
次に、図５〜図７に基づいて、フィルタ１６の取り出し手順について説明する。図５は図３の一部拡大図、図６はフィルタの取り出し手順を示す図、図７は図５における矢線Ｄ方向から見た図である。
【００２６】
図５，図６に示すように、蝶番２４（図２参照）の対向側に位置する、外枠体１１のケーシング１１ｋの周壁内面にラッチ１９ａを有する係合器１９が配置され、内枠体１２のケーシング１２ｋの周壁にラッチ１９ａが出入り可能な係合孔１９ｍが開設されている。係合器１９に内蔵された弾性体（図示せず）によりラッチ１９ａは突出方向（内枠体１２方向）に付勢されているため、平常時は、ラッチ１９ａが係合孔１９ｍに挿入された状態を保つことにより、外枠体１１のケーシング１１ｋ内に、内枠体１２のケーシング１２ｋが保持されている。
【００２７】
また、図６，図７に示すように、内枠体１２のケーシング１２ｋのフィルタ収納部１２ｈの周縁部には、フィルタ１６を出し入れするための開口部１２ｎが設けられている。フィルタ収納部１２ｈに収納されたフィルタ１６が開口部１２ｎから離脱するのを阻止するため、支軸１８ａを中心に回動可能なフィルタストッパ１８が開口部１２ｎ下方のケーシング１２ｋの周壁に軸支されている。図７に示すように、フィルタストッパ１８を起立させて開口部１２ｎを横断する状態にするとフィルタ１６の離脱が阻止され、フィルタストッパ１８を倒伏させて開口部１２ｎから遠ざけるとフィルタ１６は出し入れ可能となる。
【００２８】
フィルタ１６の取り出す場合は、まず、作業者が内枠体１２の下面を支えた状態で、図５に示すように、内枠体１２のケーシング１２ｋ周壁の係合孔１２ｍから突出しているラッチ１９ａを矢線２５方向へ押圧すると、ラッチ１９ａと係合孔１２ｍとの係合が解除される。これにより、内枠体１２は自重により蝶番（図２参照）を中心に下方へ回動しようとするので、作業者は内枠体１２を支えながら、少なくとも図６に示す状態まで内枠体１２を開く。この後、図７に示すように、フィルタストッパ１８を矢線２６方向に回動させてフィルタ収納部１２ｈの開口部１２ｎを開けば、図６に示す矢線２７方向へフィルタ１６を取り出すことができる。
【００２９】
取り出したフィルタ１６のメンテナンスが終わった後は、前述と逆の手順をとることにより、フィルタ１６をフィルタ収納部１２ｈへ収納し、内枠体１２を外枠体１１内に装着することができる。なお、図６に示すように内枠体１２を開いた状態において、外枠体１１や内枠体１２の清掃やメンテナンスを行うこともできる。
【００３０】
このように吹出口１０において、内枠体１２は蝶番２４（図２参照）を介して外枠体１１に開閉可能に装着されているため、外枠体１１に対する内枠体１２の開閉操作が容易であり、内枠体１２に組み込まれたフィルタのメンテナンス性や清掃作業性に優れている。
【産業上の利用可能性】
【００３１】
本発明の吹出口は、オフィスビル、工場建屋などに配備される空調設備の一部として広く利用することができる。
【図面の簡単な説明】
【００３２】
【図１】本発明の実施の形態である吹出口を示す正面図である。
【図２】図１におけるＡ−Ａ線断面図である。
【図３】図１におけるＢ−Ｂ線断面図である。
【図４】図３における矢線Ｃで示す領域の拡大図である。
【図５】図３の一部拡大図である。
【図６】フィルタの取り出し手順を示す図である。
【図７】図５における矢線Ｄ方向から見た図である。
【符号の説明】
【００３３】
１０  吹出口
１０ｋ  本体ケーシング
１１  外枠体
１１ａ，１２ａ  開口周縁部
１１ｃ，１２ｃ  断熱材
１１ｋ，１２ｋ  ケーシング
１１ｄ，１１ｅ，１２ｄ，１２ｅ  内周端面
１１ｆ，１２ｆ  結露防止カバー
１２  内枠体
１２ｇ  外周面
１２ｈ  フィルタ収納部
１２ｍ  係合孔
１２ｎ  開口部
１２ｐ  吹出口開口端
１３  下方羽根
１４  上方羽根
１５  シャッタ
１３ａ，１４ａ，１５ａ，１８ａ  支軸
１６フィルタ
１７  羽根補強部材
１８  フィルタストッパ
１９  係合器
１９ａ  ラッチ
２０  天井部
２１  ダクト
２２  タップスクリュー
２３  取付ビス
２４  蝶番
２５，２６，２７  矢線
Ｒ  室内
Ｓ  隙間
【図１】
2010117055.tif 000003
【図２】
2010117055.tif 000004
【図３】
2010117055.tif 000005
【図４】
2010117055.tif 000006
【図５】
2010117055.tif 000007
【図６】
2010117055.tif 000008
【図７】
2010117055.tif 000009